(57)【特許請求の範囲】
【請求項１】
上端に受け板（１２）を有する高さ調整自在な多数個の支持脚（１）と、所定幅の角棒状の目地用断熱材（２１）の幅方向中央部上面に先付け目地棒（２２）が両端部を突出させて固着された複数本の目地部架設材（２）と、複数枚の断熱パネル（３）と、同じく複数枚の剛性ベースパネル（４）と、多数個の嵌め込み用目地棒（５）とを備え、
上記支持脚（１）がべた基礎等の床基盤（Ｇ）上に、所定間隔おきに縦横配列に立設され、
各縦列中の隣接する支持脚（１）（１）間に、前記目地部架設材（２）が、その先付け目地棒（２２）の両端突出部（２２ａ）を受け板（１２）上に係止させて横架状に取付けられ、
この目地部架設材（２）の取付けられた支持脚（１）の隣接する縦列間に、前記断熱パネル（３）が目地用断熱材（２１）と同じレベルで嵌め込み状態に、かつ両側縁または両側縁端部を前記目地部架設材（２）または支持脚（１）に設けた支持手段に支持して配設され、
この断熱パネル（３）及び目地用断熱材（２１）上に、前記先付け目地棒（２２）を挟む態様で、かつ縦列に隣接するパネル相互間に目地間隙をあけた状態でベースパネル（４）が敷き込まれ、
該ベースパネル（４）のコーナー部及び両側縁部が支持脚（１）の受け板（１２）上に載置支承されて該受け板（１２）にビス等の固着手段で接合固着され、
更に縦列に隣接するベースパネル（４）（４）間の目地間隙内に前記嵌め込み用目地棒（５）が嵌合配置されてなることを特徴とする断熱床構造。
【請求項２】
目地用断熱材（２１）の両側縁に、支持脚（１）の受け板（１２）の側縁より側方に突出する上向きの相欠き段部（２１ａ）が形成され、この相欠き段部（２１ａ）上に、断熱パネル（３）の両側縁に形成された下向きの対応相欠き段部（３ａ）が係合されることにより上記断熱パネル（３）が目地部架設材（２）に支承されてなる請求項１に記載の断熱床構造。
【請求項３】
目地部架設材（２）における目地用断熱材（２１）の長さ方向の両端に上向きの相欠き段部（２１ｂ）が形成され、この相欠き段部（２１ｂ）と先付け目地棒（２２）の両端突出部（２２ａ）との間に支持脚（１）の受け板（１２）を上下から挟み込んだ態様で目地部架設材（２）が配設されている請求項１または２に記載の断熱床構造。
【請求項４】
受け板（１２）上の、隣接する先付け目地棒（２２）（２２）間の目地間隙に、目地棒小片（６）が嵌合されることにより、ベースパネル（４）間のすべての目地間隙が塞がれたものとなされている請求項１ないし３のいずれか１に記載の断熱床構造。
【請求項５】
先付け目地棒（２２）、嵌め込み目地棒（５）及び目地棒小片（６）が、硬質材料からなる角棒状芯材（１０）と、その両側面に積層状に貼合一体化された弾性緩衝材（２０）との複合材で構成されている請求項１ないし４のいずれか１に記載の断熱床構造。
【請求項６】
支持脚（１）における受け板（１２）の下面に、該受け板（１２）を介して隣接する目地用断熱材（２１）（２１）間の間隙部を埋める方形断熱材ブロック（３１）（３２）が付設されてなる請求項１ないし５のいずれか１に記載の断熱床構造。
【請求項７】
ベースパネル（４）の下面または上下両面に防湿層（４０）が設けられている、請求項１〜６のいずれか１に記載の断熱床構造。
【請求項８】
防湿層（４０）は、合成樹脂シートまたはフィルム、またはアルミニウム箔等の金属薄膜シートからなるバリヤシート（４１）と、該防湿シートの片面または両面に積層一体化された紙、不織布または織布からなる繊維シート（４２）（４３）とによる二層または三層シートで構成されている、請求項７に記載の断熱床構造。
【請求項９】
ベースパネル（４）の木口面に木口防湿層（４５）が形成されてなる請求項７または８に記載の断熱床構造。
【発明の詳細な説明】
【０００１】
【発明の属する技術分野】
この発明は、建築物の断熱床構造、特に木造住宅の１階床に好適に採用しうる断熱性に優れた床構造に関する。
【０００２】
【従来の技術】
住宅等のための木造建築物においては、布基礎上に緊結される土台や、土台に接合する柱等の木材部分の腐朽を防止する目的で、１階床の床下に外気に連通する通風・換気空間を設けることが義務づけられている。このために、外壁部分の断熱に腐心しても、床からの外気温の侵入により室内居住空間の冷暖房効果が減殺されエネルギー損失を招くという難点があった。
【０００３】
そこで、近時、１階床に断熱構造を採用する施工例が急速に増えてきている。
【０００４】
しかしながら、木造建築物における従来の断熱床構造は、下記のように未だなお、多くの問題点を有するものであった。
【０００５】
木造建築物における床は、伝統的な軸組構造によるものが多い。即ち、布基礎上に木製土台を緊結する一方、束、大引き、根太で床軸組みを構成し、根太上に直接あるいは合板や木質繊維板からなるベースパネルを介して仕上げ用の床材を施工するものとしていることが多い。
【０００６】
そして、このような軸組構造の床における断熱床構造としては、従来例えば特公昭６３−２５１４２号公報に記載されているように、土台と大引きの間、および隣接する大引き間に断熱材を配置するものとしたり、あるいは実開昭６４−２４２４１号公報に示されるように、隣接する根太間に断熱材を嵌め込み状態に配置すること等が提案され、実際には後者の構造が多く採用されてきた。
【０００７】
しかしながら、従来の上記断熱床構造においては、大引きあるいは根太の部分で断熱材の欠落部分を生じるために、いずれも床面積に対する断熱材の敷き詰め率が８０〜９０％程度のものとなり、断熱ムラを生じる難点があった。
【０００８】
加えて、必ずしも間隔寸法が均一でない大引き間、根太間に、断熱材をきっちりとした嵌め込み状態に施工することが容易ではなく、現場での施工作業に多くの時間と手間を要するのみならず、断熱材の側縁と根太や大引きの間に隙間を生じることが多く、更には断熱材とその上に施工されるベースパネルや床板の下面との間にも隙間を生じることが多く、これらの隙間に起因して断熱効果が不十分なものとなり易いというような種々の問題点を有するものであった。
【０００９】
【発明が解決しようとする課題】
上記のような問題点に鑑み、この発明は、木造建築物の床に好適に採用可能であり、かつ施工が容易であり、しかも断熱性能に優れ、強度上も従来の軸組構造床に較べて遜色のないものとなしうる新規な断熱床構造を提供することを設定課題とするものである。
【００１０】
【課題を解決するための手段】
この発明は、従来の軸組構造床を廃止し、いわゆる二重床方式に転換することを前提として開発されたものである。即ち、べた基礎等の床基盤上に所定間隔おきに立設した多数個の支持脚を従来の軸組みに代わる床の支持構造として採用することを前提として開発されたものである。
【００１１】
ここに、本発明は、請求項１に記載のとおり、上端に受け板（１２）を有する高さ調整自在な多数個の支持脚（１）と、所定幅の角棒状の目地用断熱材（２１）の幅方向中央部上面に先付け目地棒（２２）が両端部を突出させて固着された複数本の目地部架設材（２）と、複数枚の断熱パネル（３）と、同じく複数枚の剛性ベースパネル（４）と、多数個の嵌め込み用目地棒（５）とを備え、
上記支持脚（１）がべた基礎等の床基盤（Ｇ）上に、所定間隔おきに縦横配列に立設され、
各縦列中の隣接する支持脚（１）（１）間に、前記目地部架設材（２）が、その先付け目地棒（２２）の両端突出部（２２ａ）を受け板（１２）上に係止させて横架状に取付けられ、
この目地部架設材（２）の取付けられた支持脚（１）列の隣接する縦列間に、前記断熱パネル（３）が目地用断熱材（２１）と同じレベルで嵌め込み状態に、かつ両側縁または両側縁端部を前記目地部架設材（２）または支持脚（１）に設けた支持手段に支持して配設され、
この断熱パネル（３）及び目地用断熱材（２１）上に、前記先付け目地棒（２）を挟む態様で、かつ縦列に隣接するパネル相互間に目地間隙をあけた状態でベースパネル（４）が敷き込まれ、
該ベースパネル（４）のコーナー部及び両側縁部が支持脚（１）の受け板（１２）上に載置支承されて該受け板（１２）にビス等の固着手段で接合固着され、更に縦列に隣接するベースパネル（４）（４）間の目地間隙内に前記嵌め込み用目地棒（５）が嵌合配置されてなることを特徴とする断熱床構造を要旨とする。
【００１２】
この断熱床構造においては、床基盤（Ｇ）上に縦列に支持脚（１）を所定間隔おきに立設し、次いで該支持脚（１）列に目地部架設材（２）を順次装着したのち、第１列目ないし第ｎ列目の断熱パネル（３）を順次取付け、これと相前後して同１列目ないし第ｎ列目のベースパネル（４）を順次敷設し、然るのち、嵌め込み用目地棒（５）の装着を行う施工手順の採用により、現場で簡単に、しかも格別の熟練を要することなく高能率に施工することが可能である。
【００１３】
しかも、ベースパネル（４）の下面側に、ほゞ完全な敷き詰め率で隙間なく断熱材が配置されることになると共に、ベースパネル（４）と断熱パネル（３）との間に隙間を生じるおそれも少ないから、床の全面に亘って均一に優れた断熱性の確保が可能となる。
【００１４】
加えて、床面から加わる荷重は、ベースパネル（４）を支持した多数個の支持脚（１）を介してべた基礎等の床基盤（Ｇ）に垂直方向に伝達されるから、従来の軸組構造の床に較べ、強度上遜色なく、むしろ一層強度に優れた床を構築できる。
【００１５】
この発明の好適な実施態様の１つは、請求項２に示すよう目地用断熱材（２１）の両側縁に、支持脚（１）の受け板（１２）の側縁より側方に突出する上向きの相欠き段部（２１ａ）が形成され、この相欠き段部（２１ａ）上に、断熱パネル（３）の両側縁に形成された下向きの対応相欠き段部（３ａ）が適合されることにより上記断熱パネル（３）が目地部架設材（２）に支承されたものとなされる。
【００１６】
この構成により、断熱パネル（３）の配設作業を一層容易に行うことができると共に、同断熱パネル（３）を脱落を生じる不安なくしっかりと支持できる。また、目地部架設材（２）を介して隣接する断熱パネル（３）（３）間に、相欠き段部（２１ａ）（３ａ）の重なりをもって連接状に目地用断熱材（２１）が介在することになるので、断熱パネル（３）と目地用断熱材（２１）との間に隙間を生じるおそれがなく、優れた断熱効果を確保しうる。
【００１７】
この発明の他の好適な実施態様は、請求項３に示すように、目地架設材（２）における目地用断熱材（２１）の長さ方向の両端に上向きの相欠き段部（２１ｂ）が形成され、この相欠き段部（２１ｂ）と先付け目地棒（２２）の両端突出部（２２ａ）との間に支持脚（１）の受け板（１２）を上下から挟み込んだ態様で目地部架設材（２）が配設されたものとなされる。
【００１８】
これにより、目地部架設材（２）の支持脚（１）に対する取付け作業を、一層容易にかつ確実に遂行可能なものとすることができる。
【００１９】
この発明の更に他の好適な実施態様は、請求項４に記載のように、受け板（１２）上の、隣接する先付け目地棒（２２）（２２）間の目地間隙に、目地棒小片（６）が嵌合されることにより、ベースパネル（４）間のすべての目地間隙が塞がれたものとなされる。
【００２０】
これにより、ベースパネル（４）の敷設された床下地面を全面に亘って完全に平坦な面に構成でき、カーペットその他の軟質系の床仕上げ材の敷設にも好適に対応可能な床下地面を提供することができる。
【００２１】
この発明の更に他の好適な実施態様は、請求項５に記載のように、先付け目地棒（２２）、嵌め込み目地棒（５）及び目地棒小片（６）が、硬質材料からなる角棒状芯材（１０）と、その両側面に積層状に接合一体化された弾性緩衝材（２０）との複合材で構成されたものとなされている。
【００２２】
これにより、ベースパネル（４）の温湿度の変化に伴う伸縮を上記弾性緩衝材（２０）で吸収して、床下地面に盛り上がりや反り等の不陸変形が生じるおそれを解消しうる。かつ隣接するベースパネル（４）（４）間に隙間を生じるのを防止し、該隙間からの冷暖気の移行を防いで高い断熱効果を得ることができる。
【００２３】
この発明の更に他の好適な実施態様は、請求項６に記載のように、支持脚（１）における受け板（１２）の下面に、該受け板（１２）を介して隣接する目地用断熱材（２１）（２１）間の間隙部を埋める方形断熱材ブロック（３１）（３２）が付設されたものとなされる。
【００２４】
これにより、最も簡易な構造でありながら、かつ現場での断熱材の加工を要することなく、受け板（１２）部分の下面に断熱材の欠落部分を生じるのを回避し、断熱効果を一層増大しうる。
【００２５】
この発明は、更に好適な実施態様として請求項７に示すように、ベースパネル（４）の下面または上下両面に防湿層（４０）が設けられたものとなされる。また、この防湿層（４０）は好適には、請求項８に示すように、合成樹脂シートまたはフィルム、またはアルミニウム箔等の金属薄膜シートからなるバリヤシート（４１）と、該バリヤシート（４１）の片面または両面に積層一体化された紙、不織布または織布からなる繊維シート（４２）（４３）とによる二層または三層シートで構成されたものとなされる。更にはまた、請求項９に示すように、ベースパネル（４）の周側の木口面にも木口防湿層（４５）が形成されたものとなされる。
【００２６】
ベースパネル（４）の少なくとも下面に防湿層（５０）が設けられることにより、ベースパネル（４）の施工後において、乾燥の不十分な床基盤（Ｇ）側からの水分の影響によるベースパネル（４）の膨張収縮を防止することができ、ひいてはその上に施工される床材の敷設状態を安定に維持することができる。また、ベースパネル（４）の上面側あるいは更に四周の木口面にも防湿層（４０）（４５）を形成したものとすることにより、ベースパネル（４）の敷設施工後における降雨の影響等による上面側あるいは木口面からの吸湿による該ベースパネル（４）の有害な伸縮や反り等の変形の発生をも確実に防止することができる。
【００２７】
【発明の実施の形態】
以下、この発明の実施の形態を、図面に基づいて更に具体的に説明する。
【００２８】
図１〜３において、（Ｇ）はコンクリートの打ち込みによるべた基礎、（Ｈ）はその周辺に立ち上った布基礎、（Ｋ）はこの布基礎（Ｈ）上に緊結される木材製の土台である。
【００２９】
この発明に係る断熱床構造は、べた基礎（Ｇ）上に施工されるものであり、多数個の支持脚（１）と、多数個の目地部架設材（２）と、所要複数枚の断熱パネル（３）と、同じく複数枚のベースパネル（４）と、嵌め込み用の目地棒（５）及び目地棒小片（６）とを主要な構成部材とする。
【００３０】
支持脚（１）は公知のものである。即ち、上部に雄ねじ部を形成した金属製または合成樹脂製の棒状または中空筒状支柱（１１）の下端に金属や合成樹脂あるいは弾性材料からなる接地用の座盤（１３）が回転自在に嵌合連結される一方、上端部に雌ねじ筒（１４）がねじ合わせて装着され、この雌ねじ筒（１４）の上端にパーティクルボード、合板等の木質材料からなる受け板（１２）が固着されている。この受け板（１２）は例えば９８ｍｍ×９８ｍｍ×２０ｍｍの正方形の厚板状小片からなり、その中央部にあけられた調節孔（１５）からねじ回し工具を入れて支柱（１１）を回転することにより、受け板（１２）の高さ位置を自在に調節しうるものである。高さ調節後は、上記調節孔（１５）から接着剤を流し込むことで、支柱（１１）と雌ねじ筒（１４）とを固着し、高さを固定しうるものとなされている。
【００３１】
上記支持脚（１）は、その多数個がべた基礎（Ｇ）上に、相互間に所定間隔をあけて、縦横配列に立設され、位置決め後に前記座盤（１３）をべた基礎（Ｇ）に接着や釘打ち、あるいはそれらの併用によって固定されるものである。この支持脚（１）の配設ピッチは、例えば縦列（Ｌ）上において４５０ｍｍ、隣接する縦列（Ｌ）（Ｌ）間において６００ｍｍに設定される。
【００３２】
目地部架設材（２）は、この発明において最も重要な構成要素をなすものであり、前記支持脚（１）の各縦列（Ｌ）中において隣接する支持脚（１）（１）間に架橋状に設置されるものである。
【００３３】
この目地部架設材（２）は、所定幅を有する角棒状の目地用断熱材（２１）と、その上面の幅方向中央部に接着固定して取付けられた先付け目地棒（２２）とからなる。
【００３４】
上記目地用断熱材（２１）は、例えば幅１４０ｍｍ、厚さ５５ｍｍ、長さ４００ｍｍの角棒状体からなり、長手方向の両側縁に切削加工等により上向きの相欠き段部（２１ａ）が形成され、これによって上部の凸部の幅が支持脚（１）の受け板（１２）の幅と同じく９８ｍｍに設定されている。また、長手方向の両端にも、上向きの相欠き段部（２１ｂ）が突出状に形成されている。なお、この目地用断熱材（２１）の材質は、後述する断熱パネル（３）と同様のものである。
【００３５】
先付け目地棒（２２）は、床の施工状態において隣接するベースパネル（４）（４）の長手方向の両側縁間の目地部に介在されるものである。従って、この目地部間隙に対応する幅、たとえば２０ｍｍの幅を有し、かつベースパネル（４）の厚さに等しい厚さ、たとえば２０ｍｍの厚さを有する。この先付け目地棒（２２）は、予め前記目地用断熱材（２１）の上面に一体的に固着したものとしなければならない。そしてこの固着状態において、両端部が、目地用断熱材（２１）の上部の両端より外方に例えば２０ｍｍ程度突出したものとなされる。（２２ａ）はこの突出部を示す。
【００３６】
上記の構成になる目地部架設材（２）は、図６に示すように、その両端の先付け目地棒（２２）の突出部（２２ａ）を受け板（１２）の上面側に係合し、かつ目地用断熱材（２１）の両端の相欠き段部（２１ｂ）を同受け板（１２）の下面側に係合することによって支持脚（１）の受け板（１２）に連結される。即ち、上記突出部（２２ｂ）と相欠き段部（２１ｂ）との間に、受け板（１２）の側縁部を挟み込んだ態様で該受け板（１２）と連結される。このような連結構造を採用することで、縦列（Ｌ）中に隣接する各支持脚（１）（１）間への目地部架設材（２）の取付作業に際し、該目地部架設材（２）の不本意な移動や脱落を防ぎつつその取付作業を容易に行うことができ、作業性を向上しうる。
【００３７】
断熱パネル（３）は独立気泡の発泡ポリスチレン、硬質発泡ポリウレタン、硬質発泡ポリエチレン等の硬質発泡合成樹脂板、その他の硬質断熱材料成形板からなるものであり、例えば、１８２０ｍｍ×５２０ｍｍ×５５ｍｍの矩形板状に形成されたものである。そして、その長手方向の両側縁には、切削加工により前記目地用断熱材（２１）の相欠き段部（２１ａ）に対応する反対向きの、即ち下向きの相欠き段部（３ａ）が形成されたものとなされている。
【００３８】
上記断熱パネル（３）は、目地部架設材（２）が予め取付けられた支持脚（１）列の隣接する縦列（Ｌ）（Ｌ）間に上から落し込み状態に嵌め込まれ、両側縁の下向き相欠き段部（３ａ）を目地用断熱材（２１）の上向き相欠き段部（２１ａ）上に係合させることでこれに支持して取り付けられている。このような断熱パネル（３）の支持構造を採用することは、該断熱パネル（３）の側縁と目地用断熱材（２１）の側縁との間に隙間を生じないものとすることができる点、及び断熱パネル（３）の両側縁をほぼ全長に亘って下から支持し、脱落や反りを生じるおそれなく、断熱パネル（３）をしっかりと支持しうるものとなしうる点で有利である。
【００３９】
第１列目の支持脚（１）の縦列（Ｌ）と土台（Ｋ）との間、及び最後の支持脚（１）の縦列（Ｌ）と土台（Ｋ）との間に配置される断熱パネル（３）の、上記土台（Ｋ）側の側縁の支持は、土台（Ｋ）側に付設される適宜の支持手段をもって行うものとすれば良い。この支持手段の構造は特に限定されるものではない。図１に示す好適な１つの例示においては、土台（Ｋ）の内方側面にきわ根太（Ｋ１）が取付けられ、このきわ根太（Ｋ１）に所定間隔おきに複数個のＬ字状支持金具（７）が取付けられ、この支持金具（７）上に断熱パネル（３）の側縁部下面を担持支承せしめたものとなされている。
【００４０】
図１〜６に示す実施態様の場合、すべての断熱パネル（３）を配設した状態においては、支持脚（１）の受け板（１２）の下面の一部を除き、床面積の全体が断熱パネル（３）と目地用断熱材（２１）とで覆われたものとなり、かつそれらの上面はほぼ面一な平坦面に形成される。
【００４１】
なお、断熱パネル（３）の相欠き段部（３ａ）、および目地用断熱材（２１）の相欠き段部（２１ａ）（２１ｂ）は、上記のように切削加工によって形成するだけでなく、寸法の異なる少なくとも２枚の前記発泡合成樹脂板等の断熱板材を上下に貼り合わせることにより、下面側の断熱板材の突出周縁部によって形成するものとしても良い。この場合、２枚以上の上記断熱板材は同じ材料であっても、種類の異なる材料であっても良い。
【００４２】
また、図示の実施態様において、断熱パネル（３）の長手方向の両端縁、即ち短辺側の端縁は段部を有しない垂直面に形成したものとして示したが、該両端縁にも隣接するパネル間で互いに係合する相欠き段部を形成し、隣接する断熱パネル（３）（３）相互を端縁側でも隙間なく相欠き接合しうるものとしても良い。
【００４３】
剛性ベースパネル（４）は、図示しない仕上げ用の床材の敷設用下地面を構成するものであり、強度及びコスト面での有利性から一段的にはパーティクルボードや合板が用いられるが、オリエンテッドストランドボード（ＯＳＢ）、ミディアムデンシティファイバーボード（ＭＤＦ）、ハードファイバーボード（ＨＢ）等を用いても良い。ベースパネル（４）の寸法は、この実施態様において、一般的な規格寸法による６００ｍｍ×１８２０ｍｍ×２０ｍｍの長方形のものが用いられている。
【００４４】
上記剛性ベースパネル（４）は、断熱パネル（３）及び目地用断熱材（２１）によるそれらの平坦上面に、前記先付け目地棒（２２）を挟む態様で縦列に順次敷き並べて配置される。この際、各縦列に並ぶベースパネル（４）（４）は、隣接するパネル間に例えば２０ｍｍの目地間隙を置いて配置するものとなされ、この目地間隙に、ベースパネルの敷設と同時に、あるいはベースパネル（４）を配置したのちに、前述の嵌め込み用目地棒（５）が嵌め込み状態に配置される。また、ベースパネル（４）は、隣接するパネル列間で幅方向の目地線が一直線上に並ばないように、図３に示すように千鳥配置に配設される。更にまた、各ベースパネル（４）は、その四隅のコーナ部が所定の支持脚（１）の受け板（１２）上に担持される配置に敷き込まれる。これにより、ベースパネル（４）は、その両側縁の中間部が１ないし複数個の支持脚（１）の受け板（１２）の一側縁部上に支持される。そこで、上記コーナ部及び側縁部をビスあるいは釘等の固着具をもって上記支持板（１２）に強固に接合固着される。
【００４５】
なお、上記剛性ベースパネル（４）の形状は、図示例において長方形のものを示したが、正方形のものを用いても良い。またその配置は、基盤状であっても千鳥状であっても良い。
【００４６】
ベースパネル（４）の敷き込みと嵌め込み用目地棒（５）の配設を終った段階で、受け板（１２）はその上面の中央部のみが外部露出状態に残存される。そこで、この残存露出部分を通じて前述した各支持脚（１）の高さ調節操作を行い、すべてのベースパネル（４）面が完全な水平平坦面になるように調整したのち、孔（１５）から接着剤を流し込むなどの手段により支持脚（１）の高さ固定を行う。そして、最終に、受け板（１２）上の上記残存露出部の空間に、予め対応形状に作成した目地棒小片（６）を嵌め込んで配置し、ベースパネル（４）（４）間のすべての目地間隙を塞いだものとなされる。
【００４７】
ところで、上記嵌め込み用目地棒（５）、先付け目地棒（２２）、及び目地棒小片（６）は、いずれも同じ構成を有するものとなされている。即ち合板その他の木質系硬質材料からなる角棒状体を芯材（１０）として、その両側面に、ゴム、軟質発泡合成樹脂等の弾性材料からなる帯状緩衝材（２０）が積層状に貼合一体化されたものとなされている。そして、この弾性緩衝材（２０）の存する両側面をベースパネル（４）の周側面に弾力的に当接させた状態で配置されることにより温湿度変化によるベースパネル（４）の伸縮を上記緩衝材（２０）で吸収して、ベースパネル（４）との間に隙間を生じさせないものとし、かつベースパネル（４）（４）が目地部分で山形の盛り上がり変形を生じるのを防止しうるものとなされている。
【００４８】
以上に説明した断熱床構造は、ベースパネル（４）（４）の敷設面上に図示しない仕上げ用のフローリング材、カーペット、畳等の床材が敷き込まれて完成されるものであることはいうまでもない。
【００４９】
図１〜６の実施態様に示した上述の断熱床構造では、床の全面積中において、唯一支持脚（１）の受け板（１２）の下面の一部に、図６に示すように断熱材の存在しない部分、即ち断熱材の欠落部分（９）が生じる。この欠落部分（９）による断熱効果の低減を回避するために、図７に示すように、受け板（１２）の下面に、該受け板を介して隣接する目地用断熱材（２１）（２１）間の間隙部を埋める方形の断熱材ブロック（３１）を予め付設しておくものとすることが推奨される。
【００５０】
あるいはまた、上記断熱材ブロック（３１）を付設する代わりに、図９に示すように、目地用断熱材（２１）の両端を延長し、先端に支持脚（１）の雌ねじ筒（１４）が嵌まり込む切欠凹部（３３）を設けた突出部（３４）を形成して、隣接する目地部架設材（２）（２）の目地用断熱材（２１）（２１）同士が突き合わせ状に配置されるものとしても良い。
【００５１】
また、前述の図１〜６の実施態様では、断熱パネル（３）の両側縁を目地用断熱材（２１）によって支持せしめるようにしたものを示したが、図８に示す変形例のように、支持脚（１）の受け板（１２）の下面に方形の断熱材ブロック（３２）を介して方形支持板（３５）を外方突出状に設け、この支持板（３５）の突出部上に断熱パネル（３）の側縁部を乗せて支持せしめるものとしても良い。
【００５２】
更には、図１０に示すように、目地用断熱材（２１）の下面に側方に突出する支持板（３６）を接着等により取付けたものとし、この支持板（３６）の突出縁部上に断熱パネル（３）の側縁部を乗せて支持せしめるものとしても良い。上記支持板（３６）は、図１０のように１枚の板状体で構成する場合のほか、図１１に示すように、複数個の板片からなる支持板（３６ａ）を用い、これを所定間隔おきに取付けるものとしても良い。また、上記支持板（３６）（３６ａ）の取付手段は、接着のほか、釘、ビス、スクリューネイル、ステープル等の釘類による固着、あるいは接着と釘類の併用による固着等の任意の手段を採用しうる。
【００５３】
ところで、上述の実施態様では、支持脚（１）の縦列（Ｌ）方向のみに目地部架設材（２）を配設して断熱床を組立てる場合について説明したが、上記縦列（Ｌ）と直交する方向の横列にて隣接する支持脚（１）（１）間に、同様に目地部架設材（２）を架設配置するものとしても良い。また、支持脚（１）の縦列（Ｌ）方向と、縦列（Ｌ）方向と直交する方向の横列の両方向にて隣接する支持脚（１）（１）間にも目地部架設材（２）を架設配置するものとしても良い。この場合、断熱パネル（３）は、その四周側面のすべてが目地部架設材（２）の目地用断熱材（２１）に囲まれて配置されることになる。また、嵌め込み用目地棒（５）は、図示の目地部架設材（２）と同様に予め目地用断熱材に一体的に先付け付設されたものとなされるから、断熱パネル（３）の敷き込みの段階で自動的に、隣接する断熱パネル（３）（３）の短辺側の両端縁間に挟み込まれた状態に配設されることになる。従って、この発明において特に請求項１にいう「嵌め込み用目地棒（５）」は、上記のように目地部架設材（２）としてその目地用断熱材に予め接合一体化されたものである場合も包含されるものとする。
【００５４】
また、ベースパネル（４）は前述のようにパーティクルボードや合板等の剛性木質板が用いられるものであるところ、それ自体では上下両面あるいは周囲の木口面から吸湿するおそれがある。このため、例えばコンクリートやモルタルによるべた基礎等の床基盤（Ｇ）が十分に養生乾燥されていない状態で床下地が施されたような場合、あるいは降雨後の未乾燥状態で施工されたような場合、該ベースパネル（４）が主として下面側からの吸湿により、あるいはまた上面側や周囲の木口面からの吸湿によって膨張し、ひいてはその上に施工された床仕上げ材どおしの接合部分に隙間を発生させるおそれがある。そしてまた、吸湿後乾燥すると、逆にベースパネル（４）が収縮し、その結果上面側に施工された床仕上げ材どおしの接合部に突き上げ現象による盛り上がり変形を生じるというようなおそれがある。ベースパネル（４）の施工後における降雨により、その上面が濡れたような場合には、上記懸念が更に増大する。
【００５５】
このような問題に対処するため、本発明の好ましい実施態様においては、図１２に示すように、ベースパネル（４）の上下両面に防湿層（４０）（４０）が設けられている。この防湿層（４０）は、水分、湿気を遮断できるものであればどのような構成のものでも良い。図１２に示される好ましい実施例では、ポリエチレン、ポリプロピレン、塩化ビニル等の合成樹脂フィルムまたはシート、あるいはアルミニウム箔または同蒸着層等の金属薄膜シートからなるバリヤシート（４１）を中心にして、その両面に、紙、不織布または織布からなる繊維シート（４２）（４３）がサンドイッチ状に積層一体化された全体厚み６５〜２００μｍ程度の三層シートが用いられている。なお、上記積層一体化は、接着剤や熱融着あるいは蒸着により行われるものである。上記繊維シート（４２）（４３）は、防湿層（４０）の相手方部材に対する良好な接着性を確保するために有用である。従ってバリヤ層（４１）の両面に設けることが望ましいが、バリヤ層（４１）の片面側のみに設けるものとしても良い。この場合、ベースパネル（４）面への防湿層（４０）の貼着は、熱可塑性合成樹脂フィルムまたはシートからなるバリヤシート（４１）を熱融着することによって行うことができる。
【００５６】
また、ベースパネル（４）は、図１２に示すようにその四周側面、すなわち木口面にも木口防湿層（４５）が形成されている。この木口防湿層（４５）は、撥水剤あるいは合成樹脂防水塗料の塗布、または防湿テープの貼着等の手段によって形成される。ここに、撥水剤としては溶融パラフィン、合成樹脂にパラフィン等のワックス類を添加したもの等が用いられる。また、合成樹脂防水塗料としては、タール系、アクリル系、ウレタン系、アクリル−スチレン系、アクリル−酢酸ビニル系、ゴム系、フッ素系等の各種樹脂類からなるものが用いられる。
【００５７】
撥水剤あるいは合成樹脂塗料の木口面への塗布手段としては、刷毛塗り、スプレー、ロールコーター等による機械的塗布法のほか、木口面を浸漬する方法等が採用される。
【００５８】
その他、防湿テープによる場合、該テープとしては外面に撥水処理が施された紙粘着テープや布テープ、ポリプロピレン等の合成樹脂からなる粘着テープ、アルミニウム等の金属薄材製粘着テープ、アルミニウム蒸着紙粘着テープ等が用いられる。これらの防湿テープは、ベースパネル（４）の施工前にその木口面に予め貼着されているものとしてもよいし、施工時に貼り付けるものとしても良い。
【００５９】
なお、防湿層（４０）をベースパネル（４）に貼着する場合の接着剤としては、尿素系、尿素メラミン系、酢酸ビニル系、エチレン酢酸ビニル系、尿素酢酸ビニル系、フェノール系、塩化ビニル系、ウレタン系等の公知の各種接着剤を任意に選択して使用することができる。
【００６０】
また、パーティクルボード、合板等の木質材料からなる前記支持脚（１）の受け板（１２）にも、ベースパネルと同様の防湿層を設けるものとしてもよい。それにより受け板（１２）の吸湿、乾燥に基づく影響を防止できる。
【００６１】
その他、この発明は、特許請求の範囲に記載した各発明の構成を逸脱しない範囲で、具体的な実施態様については種々の設計的変更が許容される。
【００６２】
尚、この発明は、木造建築物のみならず、コンクリート建築物の床スラブ上に施工される床においても全く同様に適用可能なものである。
【００６３】
【発明の効果】
この発明の請求項１に記載の断熱床構造にあっては、床基盤（Ｇ）上に縦列に支持脚（１）を所定間隔おきに立設し、次いで該支持脚（１）列に目地部架設材（２）を順次装着したのち、第１列目ないし第ｎ列目の断熱パネル（３）を順次取付け、これと相前後して同１列目ないし第ｎ列目のベースパネル（４）を順次敷設し、そしてこれと同時にあるいはその後に、嵌め込み用目地棒（５）の装着を行う施工手順の採用によって施工することができ、現場施工が簡単で、しかも格別の熟練を要することなく高能率に施工することができる。
【００６４】
しかも、ベースパネル（４）の下面側に、ほゞ完全な敷き詰め率で隙間なく断熱材が配置されることになると共に、ベースパネル（４）と断熱パネル（３）との間に隙間を生じるおそれも少ないから、床の全面に亘って均一に優れた断熱性の確保が可能となる。
【００６５】
加えて、床面から加わる荷重は、ベースパネル（４）を支持した多数個の支持脚（１）を介してべた基礎等の床基盤（Ｇ）に垂直方向に伝達されるから、従来の軸組構造の床に較べ、強度上遜色なく、むしろ一層強度に優れた床を構築できる。
【００６６】
また、この発明の請求項２に記載の断熱床構造にあっては、断熱パネル（３）の配設作業を一層容易に行うことができると共に、同断熱パネル（３）を脱落を生じる不安なくしっかりと支持できる。また、目地部架設材（２）を介して隣接する断熱パネル（３）（３）間に、相欠き段部（２１ａ）（３ａ）の重なりをもって連接状に目地用断熱材（２１）が介在することになるので、断熱パネル（３）と目地用断熱材（２１）との間に隙間を生じるおそれがなく、優れた断熱効果を確保しうる。
【００６７】
更に、この発明の請求項３に記載の断熱床構造では、目地架設材（２）における目地用断熱材（２１）の長さ方向の両端に上向きの相欠き段部（２１ｂ）が形成され、この相欠き段部（２１ｂ）と先付け目地棒（２２）の両端突出部（２２ａ）との間に支持脚（１）の受け板（１２）を上下から挟み込んだ態様で目地部架設材（２）が配設されたものとなされるから、目地部架設材（２）の支持脚（１）に対する取付け作業を、一層容易にかつ確実に遂行可能なものとすることができる。
【００６８】
更にまた、この発明の請求項４に記載の断熱床構造にあっては、受け板（１２）上の、隣接する先付け目地棒（２２）（２２）間の目地間隙に、目地棒小片（６）が嵌合されることにより、ベースパネル（４）間のすべての目地間隙が塞がれたものとなされるから、ベースパネル（４）の敷設された床下地面を全面に亘って完全に平坦な面に構成でき、カーペットその他の軟質系の床仕上げ材の敷設にも好適に対応可能な床下地面を提供することができる。
【００６９】
更に、請求項５に記載の断熱床構造では、先付け目地棒（２２）、嵌め込み目地棒（５）及び目地棒小片（６）が、硬質材料からなる角棒状芯材（１０）と、その両側面に積層状に接合一体化された弾性緩衝材（２０）との複合材で構成されたものとなされているから、ベースパネル（４）の温湿度の変化に伴う伸縮を上記弾性緩衝材（２０）で吸収して、床下地面に盛り上がりや反り等の不陸変形が生じるおそれを解消しうる。かつ隣接するベースパネル（４）（４）間に隙間を生じるのを防止し、該隙間からの冷暖気の移行を防いで高い断熱効果を得ることができる。
【００７０】
更にまた、請求項６に記載の断熱床構造では、支持脚（１）における受け板（１２）の下面に、該受け板（１２）を介して隣接する目地用断熱材（２１）（２１）間の間隙部を埋める方形断熱材ブロック（３１）（３２）が付設されたものとなされているから、最も簡易な構造でありながら、かつ現場での断熱材の加工を要することなく、受け板（１２）部分の下面に断熱材の欠落部分を生じるのを回避し、断熱効果を一層増大しうる。
【００７１】
また、請求項７に記載の発明においては、床基盤（Ｇ）の濡れ等の影響で吸湿し易いベースパネル（４）の特に下面側からの吸湿による該ベースパネルの有害な膨張、収縮を防止することができる。従って、その上に施工される床仕上げ材の接合部に隙間を生じたり、あるいは盛り上がり変形を生じるのを防止することができ、その安定した敷設状態を維持できる。
【００７２】
また、請求項８に記載のような三層シートによる防湿層（４０）を用いるときは、ベースパネル（４）への接着による貼合わせを容易かつ確実に行いうると共に、ベースパネル上に施工される床仕上げ材に対する良好な接着下地面を提供しうる。
【００７３】
更に、請求項９に記載のように、ベースパネル（４）の木口面にも木口防水層（４５）を形成するときは、更に一層確実に、ベースパネル（４）の前述のような吸湿に基づく有害影響の発生を回避することができる。
【図面の簡単な説明】
【図１】この発明の断熱床構造を一部を切欠いて示した斜視図である。
【図２】図１の断熱床構造の構成部材を分離して示した斜視図である。
【図３】図１の断熱床構造の一部平面図である。
【図４】図１のＡ−Ａ線の断面図である。
【図５】図１のＢ−Ｂ線の断面図である。
【図６】図１のＣ−Ｃ線の断面図である。
【図７】第１の変形実施態様を示す要部の斜視図である。
【図８】第２の変形実施態様を示す要部の斜視図である。
【図９】目地部架設材の変形例を示す斜視図である。
【図１０】目地部架設材の他の変形例を示す要部の斜視図である。
【図１１】目地部架設材の更に他の変形例を示す要部の斜視図である。
【図１２】ベースパネルの上下両面及び木口面に防湿層を設けた場合の実施形態を示すベースパネルの一部断面図である。
【符号の説明】
（１）…支持脚
（２）…目地部架設材
（３）…断熱パネル
（３ａ）…相欠き段部
（４）…ベースパネル
（５）…嵌め込み用目地棒
（６）…目地棒小片
（１０）…芯材
（１１）…支柱
（１２）…受け板
（２０）…弾性緩衝材
（２１）…目地用断熱材
（２１ａ）…相欠き段部
（２１ｂ）…相欠き段部
（２２）…先付け目地棒
（２２ａ）…突出部
（４０）…防湿層
（４１）…バリヤシート
（４２）（４３）…繊維シート
（４５）…木口防湿層
【図１】
0003834161.tif 000002
【図２】
0003834161.tif 000003
【図３】
0003834161.tif 000004
【図４】
0003834161.tif 000005
【図５】
0003834161.tif 000006
【図６】
0003834161.tif 000007
【図７】
0003834161.tif 000008
【図８】
0003834161.tif 000009
【図９】
0003834161.tif 000010
【図１０】
0003834161.tif 000011
【図１１】
0003834161.tif 000012
【図１２】
0003834161.tif 000013